(57)【要約】【目的】建設現場や資材置き場等を仮囲いする際には、単管パイプで支持枠組を設ける。  本考案はこの支持枠組を構成する横枠たる単管パイプが地面に対して水平である場合のみならず、傾斜した場合であってもしっかりと仮囲い板を固定することが可能な仮囲い板取り付け金具を提供することを目的とする。【構成】  略Ｕ字状あるいは略コ字状の本体部の両端に係止爪を設けると共に、本体部の下端部に固定金具を設け、更に固定金具の先端部に湾曲した形状の押圧部材を回転自在に取り付けた。【選択図】        図１
0003110719.tif 000002
【実用新案登録請求の範囲】
【請求項１】
仮囲い板を支持枠組みの横枠に取り付けるための固定金具であって、略Ｕ字状の本体部の両端に係止爪を設けると共に、略Ｕ字状の下端部に固定金具を設け、更に固定金具の先端部に湾曲した形状の押圧部材を回転自在に取り付けたことを特徴とする仮囲い板用取り付け金具。
【請求項２】
固定金具が略Ｕ字状をなす本体部に対し螺合する締め付けボルトであることを特徴とする請求項１記載の仮囲い板用取り付け金具。
【請求項３】
本体部の形状を略コ字状とした請求項１又は２に記載の仮囲い板用取り付け金具。  
【考案の詳細な説明】
【技術分野】
【０００１】
本発明は建設現場や資材置き場等を仮囲いするために使用される仮囲い板を、単管パイプで形成された支持枠組みに取り付けるための取り付け金具に関するものである。
【背景技術】
【０００２】
建設現場や資材置き場等を仮囲いする際には、図１４に示すように単管パイプで支持枠組１を設け、この支持枠組１を構成する横枠１ａに平鋼あるいは波形の凹凸を表面に施した仮囲い板２を、フック等の取り付け金具３で固定するのが一般的である。そしてこの取り付け金具の一例として、図１２に示すＵ字フックと呼ばれるものがある。該Ｕ字フックは略Ｕ字状をなす本体部４ａの両端を折曲し係止爪を設け、また略Ｕ字状の下端部に締め付けボルト４ｃを螺挿したものである。
【０００３】
係る態様を有するＵ字フックを用い、仮囲い板を固定する具体的な方法は以下のようなものである。すなわち仮囲い板２は一方側辺を複数回折曲することで凹部２ａ、被係止辺２ｃが形成されており、また他方側辺も複数回折曲されることで凸部２ｂ、被係止辺２ｃが形成されている。そして図１３に示すように隣接する仮囲い板の凹部２ａと凸部２ｂを掛合組み合わせ、そのうえで横枠１ａと被係止辺２ｃにわたりＵ字フック４を介在させることで、仮囲い板２を支持枠組み１に固定するのである。
【０００４】
より詳しくはＵ字フック４の本体部４ａに横枠１ａを緩挿したうえで、Ｕ字フック４の端部に設けられた係止爪４ｂを仮囲い板２の被係止辺２ｃに係止する。そして締め付けボルト４ｃにより締め付け、横枠１ａと仮囲い板２を固定するのである。
【０００５】
かように使用されるＵ字フックに関する特許文献として特開平６−３２３０４３号公報がある。ここに同公報記載のＵ字フックは本体部の両端に切り込みを設けることで係止部を設けたものである。
【特許文献１】特開平６−３２３０４３号公報
【考案の開示】
【考案が解決しようとする課題】
【０００６】
建設現場等は必ずしも平坦な地形を有しておらず斜面であることも多々ある。係る斜面にある建設現場を仮囲いする際には、支持枠組みを形成する横枠を水平に設けることができず、傾斜した態様になることも多々ある。かように傾斜した横枠にＵ字フックを取り付け固定ボルトにより締め付けると、固定ボルトと横枠たる単管パイプとの接触面がぐらつきうまく固定できないことがある。
【０００７】
そこで本考案は横枠たる単管パイプが水平である場合のみならず、傾斜した場合であってもしっかりと横枠と仮囲い板を固定することが可能な仮囲い板取り付け金具を提供することを目的とする。
【課題を解決するための手段】
【０００８】
上記課題を解決するために請求項１記載の考案は、略Ｕ字状の本体部の両端に係止爪を設けると共に、略Ｕ字状の下端部に固定金具を設け、更に固定金具の先端部に湾曲した形状の押圧部材を回転自在に取り付けた。また請求項２記載の考案は、請求項１記載の仮囲い板用取り付け金具における固定金具として、略Ｕ字状をなす本体部に対し螺合する締め付けボルトを用いた。更に請求項３記載の考案は求項１又は２に記載の仮囲い板用取り付け金具において、本体部の形状を略コ字状となした。
【考案の効果】
【０００９】
上述のように構成される本考案が、いかに作用して課題を解決するかを図面を参照しながら述べる。
【００１０】
図１は本考案の一実施形態を示す斜視図であり、図２は同Ａ−Ａ断面図であり、図３は押圧部材を回転させた状態を示す斜視図であり、図４は本考案の他の実施形態を示す斜視図であり、図５は固定金具に対する押圧部材の取り付け形態の一例を示す断面図であり、図６は同じく他の取り付け形態を示す断面図であり、図８は請求項３記載の考案の斜視図であり、図９は水平な横枠に対して本考案を用いた使用状態図であり、図１０は傾斜した横枠に対して本考案を用いた使用状態図である。
【００１１】
図１や図２に示すように本考案に係る仮囲い板用取り付け金具１０は略Ｕ字状をなす本体部１１のＵ字の下端に固定金具１３が設けられており、該固定金具１３の先端部に湾曲した形状を有する押圧部材１４が取り付けられている。そして該押圧部材１４は図３に示すように回転自在な形態に設けられている。
【００１２】
かように構成される本考案の使用状態を示すのが図９及び図１０である。図９は支持枠組みを構成する横枠１ａが、地面に対して水平に設置されている場合を示すものである。仮囲い板用取り付け金具１０の略Ｕ字状をなす本体部１１内に横枠１ａを緩挿すると共に、係止爪１２を仮囲い板２の被係止辺２ｃに係止する。また押圧部材１４の湾曲面を横枠１ａに沿わす形態であてがい、そのうえで固定金具１３により押圧部材１４を横枠１ａに押圧し、横枠１ａと仮囲い板２を固定するのである。この際押圧部材１４の湾曲面が横枠１ａに当接する。つまり広い面積で当接することから、ぐらつき少なく固定することが可能となるのである。
【００１３】
以上は横枠１ａが地面に対して水平をなす場面であるが、傾斜した場面を示すのが図１０である。本考案においては押圧部材１４が回転自在に設けてあるので、横枠１ａが傾斜していても押圧部材１４を単管パイプの傾斜角度に合わせて回転させることで、湾曲面が横枠１ａたる単管パイプの表面にフィットして押圧することが可能となるのである。つまりぐらつき少なく横枠１ａと仮囲い板２とを固定することが可能となるのである。そしてこの際略Ｕ字状をなす本体部１１，１１間の間隔を充分広くとれば、単管パイプがいかなる角度に傾斜していても単管パイプと仮囲い板とを締め付け固定することが可能となるのである。
【００１４】
以上は請求項１及び請求項２の場合の作用効果であるが、請求項３記載の考案においても本体部が略コ字状をなす以外は請求項１及び２の考案と同様の作用効果を有するものである。
【考案を実施するための最良の形態】
【００１５】
以下、好ましい考案の実施の形態につき図面を参照しながら述べる。
【００１６】
図１は本考案の第一実施例を示すものである。略Ｕ字形状を有する金属製等の本体部１１の両端部を折曲すると共に両端から同一方向に延出する突辺１５，１５を設け、更に突辺１５，１５の端部を略９０度折曲して係止爪１２，１２が設けてある。
【００１７】
略Ｕ字状をなす本体部１１のＵ字の下端部には固定金具１３が設けてある。そして固定金具１３の先端部には押圧部材１４が回転自在な形態に取り付けられている。ここに押圧部材１４は板状体を湾曲させたものであり、湾曲形状は単管パイプの周面に沿う形態に設けてある。
【００１８】
図５乃至図７は本体部１１と固定金具１３の取り付け形態、及び固定金具１３と押圧部材１４との取り付け形態を示すものである。本体部１１には孔部１１ａが設けられており、また孔部１１ａ付近においては本体部１１は肉厚に形成されている。該孔部１１ａには螺旋状のネジ溝が刻まれており、固定金具の周面に設けられたネジ溝と螺合する形態になっている。かような形状を有するがゆえに固定金具１３を回転させることで押圧部材１４を単管パイプ側に押し込み、あるいは反対側に引き戻すことが可能となしてある。
【００１９】
また押圧部材１４には孔部１４ａが設けられている。図５及び図６に示す実施形態においては孔部１４ａに固定金具１３を緩挿することで押圧部材１４を回転自在となしてある。
【００２０】
固定金具１３から押圧部材１４が抜け落ちないようにするための方法としては、図５に示すように固定金具１３の周面に２本の凸条１３ａ，１３ａを設け、該凸条１３ａ，１３ａの間に押圧部材１４の孔部１４ａが嵌り込む形態に設けるといった方法や、図６に示すように固定金具１３の周面に凹溝１３ｂを設け、該凹溝１３ｂに孔部１４ａが嵌り込む形態に設けるといった方法が考えられる。
【００２１】
又図７に示す実施形態においては孔部１４ａにリベット１７を緩挿し、そのうえでリベット１７を固定金具１３に設けた凹部１３ｃに打ち込むことで、押圧部材１４を回転自在となしてある。
【００２２】
むろん押圧部材１４を回転自在となす実施形態は上述のものに限定を受けるものではなく、押圧部材１４が回転自在であれば任意形態で構わない。
【００２３】
図４は本考案の第二実施形態を示すものである。金属製等の本体部１１の両端部をねじり、更に折曲することで係止爪１２を設けてある。
【００２４】
図８は請求項３記載の考案を示すものである。本体部１６の形状が略コ字状をなす以外は請求項１，請求項２記載の考案と同一構造を有するものである。
【００２５】
以上本考案の実施形態を述べたがむろん係る限定を受けるものではなく、略Ｕ字状あるいは略コ字状の本体部の両端に仮囲い板の被係止辺に係止することが可能な係止爪を設けると共に、固定金具の先端に湾曲した形状の回転自在な押圧部材を有するものであれば任意形態で構わない。
【図面の簡単な説明】
【００２６】
【図１】本考案の一実施形態を示す斜視図。
【図２】同Ａ−Ａ断面図。
【図３】押圧部材を回転させた状態を示す斜視図。
【図４】本考案の他の実施形態を示す斜視図。
【図５】固定金具に対する押圧部材の取り付け形態の一例を示す断面図。
【図６】同じく他の取り付け形態を示す断面図。
【図７】同じく他の取り付け形態を示す断面図。
【図８】請求項３記載の考案の斜視図。
【図９】水平な横枠に対して本考案を用いた使用状態図。
【図１０】傾斜した横枠に対して本考案を用いた使用状態図。
【図１１】仮囲い板を示す斜視図。
【図１２】従来例に係るＵ字フックを示す斜視図。
【図１３】従来例の使用状態図。
【図１４】仮囲い板の使用状態を示す説明図。
【符号の説明】
【００２７】
１１，１６・・本体部      １２・・係止爪
１３・・固定金具      １４・・押圧部材
【図１】
0003110719.tif 000003
【図２】
0003110719.tif 000004
【図３】
0003110719.tif 000005
【図４】
0003110719.tif 000006
【図５】
0003110719.tif 000007
【図６】
0003110719.tif 000008
【図７】
0003110719.tif 000009
【図８】
0003110719.tif 000010
【図９】
0003110719.tif 000011
【図１０】
0003110719.tif 000012
【図１１】
0003110719.tif 000013
【図１２】
0003110719.tif 000014
【図１３】
0003110719.tif 000015
【図１４】
0003110719.tif 000016